【手続補正書】
【提出日】平成18年4月28日(2006.4.28)
【手続補正１】
【補正対象書類名】特許請求の範囲
【補正対象項目名】全文
【補正方法】変更
【補正の内容】
【特許請求の範囲】
【請求項１】
椎骨に安定性を提供するためのプレート部材であって、第１端及び第２端と、前記第１端のスロットと、前記第２端の孔と、を有するプレート部材と、
前記プレート部材に接続される複数の取付部材であって、それぞれ、骨錨着部材の一部を受け入れるための少なくとも１つの孔を有し、椎骨と接触するように作られている取付部材と、
前記取付部材の第１取付部材に接続され前記プレート部材の前記スロットを貫通して伸張する第１ポスト、及び、前記取付部材の第２取付部材に接続され前記プレート部材の前記孔を貫通して伸張する第２ポストと、
前記第１ポストと噛み合って、前記第１ポストに接続されている前記取付部材と前記プレート部材を一体に係止するための第１係止手段、及び、前記第２ポストと噛み合って、前記第２ポストに接続されている前記取付部材と前記プレート部材を一体に係止するための第２係止手段と、を備えている装置。
【請求項２】
前記第１及び第２ポストにはねじが切られ、前記第１及び第２係止手段はナットを含んでいる、請求項１に記載の装置。
【請求項３】
前記プレート部材は長手方向軸を有し、前記スロットは、前記プレート部材の軸に略平行な軸を有している、請求項１に記載の装置。
【請求項４】
前記プレート部材は下面を有し、前記下面は、前記スロット付近の領域が粗くされている、請求項１に記載の装置。
【請求項５】
前記下面は、前記孔付近の領域が粗くされている、請求項４に記載の装置。
【請求項６】
前記第１及び第２取付部材は粗くされた上面を有している、請求項５に記載の装置。
【請求項７】
前記プレート部材の前記スロット付近の前記粗くされた領域、及び前記第１取付部材の前記粗くされた領域は、ローレットを含んでいる、請求項６に記載の装置。
【請求項８】
前記プレート部材の前記孔は、円形孔である、請求項６に記載の装置。
【請求項９】
前記プレート部材の前記孔付近の前記粗くされた領域、及び前記第２取付部材の前記粗くされた領域は、１つまたは複数の放射状スプラインを含んでいる、請求項８に記載の装置。
【請求項１０】
前記プレート部材が前記取付部材の少なくとも１つに接続されると、前記プレート部材の一部は、前記取付部材の少なくとも１つの、前記孔の少なくとも１つの、少なくとも一部を覆う、請求項１に記載の装置。
【請求項１１】
前記取付部材の前記少なくとも１つは、前記孔の１つを貫通して椎骨内に伸張している少なくとも１つのねじを含んでおり、前記プレート部材の一部は前記ねじの少なくとも一部を覆っている、請求項１０に記載の装置。
【請求項１２】
前記プレート部材は、貫通するスロットを有する中間部を含んでおり、前記中間部の前記スロットの少なくとも一部が、前記プレート部材の前記孔と前記第１端の前記スロットとの間に在る、請求項１に記載の装置。
【請求項１３】
前記プレート部材の前記中間部の前記スロットを通して、前記プレート部材に接続するように作られた骨固定要素を更に含んでいる、請求項１２に記載の装置。
【請求項１４】
椎骨に安定性を提供するためのプレート部材であって、第１端及び第２端と、前記第１端のスロットと、前記第２端の孔と、を有するプレート部材と、
前記プレート部材に接続される取付部材であって、骨錨着部材の一部を受け入れるための少なくとも１つの孔を有し、椎骨と接触するように作られている取付部材と、
骨に挿入されるように作られたねじを含んでいる下部分と、ねじを有する上部分と、を有するボルトであって、前記上部分は、前記取付部材の前記少なくとも１つの孔の１つと、前記プレート部材の前記スロットとを貫通して挿入されるように作られている、ボルトと、
前記取付部材と前記プレート部材とを一体に係止するために、前記ボルトの前記上部ねじ部に螺合させるように作られたナットと、を備えている装置。
【請求項１５】
前記プレート部材は、前記取付部材と前記プレート部材が接続されると、前記取付部材の前記孔の少なくとも１つを覆う部分を含んでいる、請求項１４に記載の装置。
【請求項１６】
前記プレート部材の前記スロットは長手方向軸を有し、前記プレート部材の前記部分は前記軸に対して実質的に横方向に伸張している、請求項１５に記載の装置。
【請求項１７】
前記プレート部材は下面を有し、前記下面は、前記スロット付近の領域が粗くされている、請求項１５に記載の装置。
【請求項１８】
前記取付部材は、粗くされた上面を有している、請求項１７に記載の装置。
【請求項１９】
前記下面は、前記孔付近の領域が粗くされている、請求項１８に記載の装置。
【請求項２０】
前記プレート部材に接続される第２取付部材であって、骨錨着部材の一部を受け入れるための少なくとも１つの孔を有し、椎骨と接触するように作られている第２取付部材と、
骨に挿入されるように作られたねじを含んでいる下部分と、ねじを有する上部分と、を有する第２ボルトであって、前記上部分は、前記取付部材の前記少なくとも１つの孔の１つと、前記プレート部材の前記孔とを貫通して挿入されるように作られている、第２ボルトと、
前記取付部材と前記プレート部材とを一体に係止するために、前記第２ボルトの前記上部ねじ部に螺合させるように作られた第２ナットと、を更に備えている、請求項１９に記載の装置。
【請求項２１】
第１端及び第２端と、前記第１端付近の第１スロットと、前記第２端付近の孔と、第２スロットと、を有するプレート部材であって、前記第２スロットの少なくとも一部が、前記第１スロットと前記孔の間に在る、プレート部材と、
少なくとも１つの貫通孔を有する第１取付部材であって、前記プレート部材の前記第１スロット付近に接続される第１取付部材と、
少なくとも１つの貫通孔を有する第２取付部材であって、前記プレート部材の前記孔付近に接続される第２取付部材と、
前記第１取付部材を骨に取り付けるための第１ねじであって、その少なくとも一部が前記第１取付部材の前記貫通孔の中に配置される第１ねじ、及び前記第２取付部材を骨に取り付けるための第２ねじであって、その少なくとも一部が前記第２取付部材の前記貫通孔の中に配置される第１ねじと、を備えており、
前記プレート部材の少なくとも一部は、前記第１ねじ及び前記第２ねじの少なくとも一部を覆っている、装置。
【請求項２２】
前記プレート部材は、前記プレート部材の前記第１端の前記スロット付近の領域が粗くされている下面を含んでいる、請求項２１に記載の装置。
【請求項２３】
前記第１取付部材は上面を含んでおり、前記上面の少なくとも一部は粗くされている、請求項２２に記載の装置。
【請求項２４】
前記プレート部材は、前記孔付近の領域が粗くされている下面を含んでいる、請求項２２に記載の装置。
【請求項２５】
前記第１及び第２取付部材の少なくとも一方は、少なくとも一部が粗くされている上面を含んでいる、請求項２４に記載の装置。
【請求項２６】
前記プレート部材は、前記プレートの前記中間部の前記スロット付近の領域が粗くされている下面を含んでいる、請求項２２に記載の装置。
【請求項２７】
少なくとも１つの貫通孔を有する第３取り付け部材を更に備えており、前記第３取付部材は、前記プレート部材の前記第２スロット付近に接続されている、請求項２６に記載の装置。
【請求項２８】
前記第３取付部材は上面を含んでおり、前記上面の少なくとも一部が粗くされている、請求項２７に記載の装置。